(57)【要約】      （修正有）【課題】殺菌ランプによる殺菌効果を十分得ることが出来る殺菌ボックス及びこれを用いた殺菌システムを提供する。【解決手段】殺菌ボックス１は、流入する空気を殺菌して送出する殺菌ボックスであって、該殺菌ボックスの第一内壁面１０に設けた第一殺菌ランプ２と、前記第一内壁面と対向する第二内壁面１１に前記第一殺菌ランプと平行させて設けた第二殺菌ランプ３Ａ乃至３Ｂと、前記第一殺菌ランプが通る貫通孔５ａを有し、当たった空気の一部を前記第二内壁面方向に流れさせ、残りの空気の少なくとも一部を前記貫通孔の中に流れさせる第一気流偏向板５と、前記第二殺菌ランプ３の横に設け、当たった空気の一部を横方向に流れさせ、残りの空気の少なくとも一部を前記第一内壁面方向に流れさせる第二気流偏向板６とを備える。【選択図】図１
2007209468.tif 000002
【特許請求の範囲】
【請求項１】
流入する空気を殺菌して送出する殺菌ボックスであって、
該殺菌ボックスの第一内壁面に設けた第一殺菌ランプと、
前記第一内壁面と対向する第二内壁面に前記第一殺菌ランプと平行させて設けた第二殺菌ランプと、
前記第一殺菌ランプが通る貫通孔を有し、当たった空気の一部を前記第二内壁面方向に流れさせ、残りの空気の少なくとも一部を前記貫通孔の中に流れさせる第一気流偏向板と、
前記第二殺菌ランプの横に設け、当たった空気の一部を横方向に流れさせ、残りの空気の少なくとも一部を前記第一内壁面方向に流れさせる第二気流偏向板と
を備えることを特徴とする殺菌ボックス。
【請求項２】
前記殺菌ボックスの入口近傍に設け、当たった空気の一部を横方向に流れさせ、残りの空気の少なくとも一部を対向する内壁面方向に流れさせる第三気流偏向板をさらに備えることを特徴とする請求項１記載の殺菌ボックス。
【請求項３】
前記殺菌ボックスの出口近傍に設け、当たった空気の一部を横方向に流れさせ、残りの空気の少なくとも一部を対向する内壁面方向に流れさせる第四気流偏向板をさらに備えることを特徴とする請求項１乃至２記載のいずれか１項記載の殺菌ボックス。
【請求項４】
前記第二気流偏向板は前記第二殺菌ランプと縦方向において重ならない形状であることを特徴とする請求項１乃至３記載のいずれか１項記載の殺菌ボックス。
【請求項５】
前記殺菌ボックスの前記第一内壁面を有する側板は着脱自在に取り付けてあることを特徴とする請求項１乃至４記載のいずれか１項記載の殺菌ボックス。
【請求項６】
所定の空間の空気を殺菌する殺菌システムであって、
前記所定の空間の空気を吸い込む吸込部と、
該吸込部により吸い込まれた空気が流入する請求項１乃至５記載のいずれか１項記載の殺菌ボックスと、
該殺菌ボックスにより殺菌された空気を前記所定の空間に送出する吹出部とを備えることを特徴とする殺菌システム。
【請求項７】
前記吹出部は前記所定の空間の外部空間と通じる位置に設けられ、前記吹出部から送出される空気により、前記外部空間からの空気の流入を遮断することを特徴とする請求項６記載の殺菌システム。
【発明の詳細な説明】
【技術分野】
【０００１】
本発明は、飛行機等の乗り物、建物、家畜小屋内等の空気を殺菌する殺菌ボックス及びこれを用いた殺菌システムに関する。
【発明の背景】
【０００２】
従来、殺菌ランプを用いて空気を殺菌する殺菌装置等が開発されている。ここで、殺菌ランプの殺菌効果は殺菌ランプからの距離等の条件により異なる。つまり、殺菌ランプからの距離が近ければ殺菌効果も上がる。
【０００３】
そこで例えば、特許文献１には、変流羽根を殺菌装置本体の内部に配設することにより殺菌効率の向上を図る殺菌装置が開示されている（特許文献１[００３２]及び図５参照）。
【０００４】
【特許文献１】特開２００５−２５７１９８号公報
【発明の開示】
【発明が解決しようとする課題】
【０００５】
しかし、特許文献１の図５のような変流羽根を設けても、変流された空気が殺菌ランプに近づくとは言い難く、殺菌効果を十分得ることは難しい。
【０００６】
本発明は上記点に鑑みてなされたものであり、その目的とするところは、殺菌ランプによる殺菌効果を十分得ることが出来る殺菌ボックス及びこれを用いた殺菌システムを提供することにある。
【課題を解決するための手段】
【０００７】
上記の課題を解決するため、請求項１記載の殺菌ボックスは、流入する空気を殺菌して送出する殺菌ボックスであって、該殺菌ボックスの第一内壁面に設けた第一殺菌ランプと、前記第一内壁面と対向する第二内壁面に前記第一殺菌ランプと平行させて設けた第二殺菌ランプと、前記第一殺菌ランプが通る貫通孔を有し、当たった空気の一部を前記第二内壁面方向に流れさせ、残りの空気の少なくとも一部を前記貫通孔の中に流れさせる第一気流偏向板と、前記第二殺菌ランプの横に設け、当たった空気の一部を横方向に流れさせ、残りの空気の少なくとも一部を前記第一内壁面方向に流れさせる第二気流偏向板とを備えることを特徴とする。
【０００８】
第一内壁面の片側のみ第一殺菌ランプを設けた場合、第一内壁面に対向する第二内壁面側の空気は第一殺菌ランプから遠くなるが、第二内壁面側にも第二殺菌ランプを設けることにより、第二内壁面側の空気は第二殺菌ランプの近くとなる。
【０００９】
さらに、第一気流偏向板により、この第一気流偏向板に当たった空気を第二内壁面方向や貫通孔の中に流れさせることが出来るため、貫通孔を通る第一殺菌ランプ及び第二内壁面に設けた第二殺菌ランプに空気を近づけることが出来る。
【００１０】
さらに、第二気流偏向板により、この第二気流偏向板に当たった空気を横方向や第一内壁面方向に流れさせることが出来るため、第二気流偏向板の横にある第二殺菌ランプ及び第一内壁面に設けられている第一殺菌ランプに空気を近づけることが出来る。ここで、第二気流偏向板は、第二殺菌ランプの横に設けるため、この第二気流偏向板の横には第二殺菌ランプが存在する。
【００１１】
これにより、流入する空気を殺菌ランプに近づける事が出来るため殺菌ランプによる殺菌効果を十分得られる。
【００１２】
第一殺菌ランプや第二殺菌ランプの数は、一又は複数とする。特に限定するわけではないが、基本的には第二殺菌ランプは第一殺菌ランプよりも一多い数とすると良い。特に限定するわけではないが、第一殺菌ランプと第二殺菌ランプは、交互になるようにそれぞれ第一内壁面、第二内壁面に設ける。貫通孔の数は、一又は複数とする。一つの貫通孔を通る第一殺菌ランプの数は基本的に一つとするが複数でもよい。
【００１３】
請求項２記載の殺菌ボックスは、前記殺菌ボックスの入口近傍に設け、当たった空気の一部を横方向に流れさせ、残りの空気の少なくとも一部を対向する内壁面方向に流れさせる第三気流偏向板をさらに備えることを特徴とする。
【００１４】
第三気流偏向板により、流入した空気の流れを最初に変えることが出来る。
【００１５】
請求項３記載の殺菌ボックスは、前記殺菌ボックスの出口近傍に設け、当たった空気の一部を横方向に流れさせ、残りの空気の少なくとも一部を対向する内壁面方向に流れさせる第四気流偏向板をさらに備えることを特徴とする。
【００１６】
第四気流偏向板により、流入した空気の流れを最後にもう一度変えることが出来る。
【００１７】
請求項４記載の殺菌ボックスは、前記第二気流偏向板は前記第二殺菌ランプと縦方向において重ならない形状であることを特徴とする。
【００１８】
これにより、第二殺菌ランプの交換の際に第二気流偏向板が邪魔にならず容易に第二殺菌ランプの交換が容易に行える。
【００１９】
請求項５記載の殺菌ボックスは、前記殺菌ボックスの前記第一内壁面を有する側板は着脱自在に取り付けてあることを特徴とする。
【００２０】
これにより、第一殺菌ランプ及び第二殺菌ランプの交換の際に、第一内壁面を有する側板を外せば第一殺菌ランプ及び第二殺菌ランプを容易に交換できる。特に、第二気流偏向板が第二殺菌ランプと縦方向において重ならない形状の場合、殺菌ボックス内の第二殺菌ランプの交換が容易となる。
【００２１】
請求項６記載の殺菌システムは、所定の空間の空気を殺菌する殺菌システムであって、
前記所定の空間の空気を吸い込む吸込部と、該吸込部により吸い込まれた空気が流入する請求項１乃至５記載のいずれか１項記載の殺菌ボックスと、該殺菌ボックスにより殺菌された空気を前記所定の空間に送出する吹出部とを備えることを特徴とする。
【００２２】
請求項１乃至５記載のいずれか１項記載の殺菌ボックスを用いるため、所定の空間の殺菌効果が十分に得られる。
【００２３】
請求項７記載の殺菌システムは、前記吹出部は前記所定の空間の外部空間と通じる位置に設けられ、前記吹出部から送出される空気により、前記外部空間からの空気の流入を遮断することを特徴とする。
【００２４】
外部空間からの空気の流入を遮断することにより、外部空間からの病原菌等の流入を防ぐことが出来る。
【００２５】
本発明において、「対向」は、略対向をも含む表現とする。「平行」は、略平行をも含む表現とする。
【００２６】
本発明において、「横方向」とは、第一殺菌ランプや第二殺菌ランプの幅方向をいい、略横方向も含む。「縦方向」とは、第一内壁面と第二内壁面の対向する方向をいい、略縦方向も含む。
【発明の効果】
【００２７】
本発明に係る殺菌ボックス及び殺菌システムによれば、殺菌ランプによる殺菌効果を十分得ることが出来る。
【発明を実施するための最良の形態】
【００２８】
本発明の実施形態について図面を参照しながら説明する。なお、同様のものや対応するもの、総称できるものについては同じ符号を付して説明する。また、図面において同様のものや対応するもの、総称できるものが複数ある場合、その一部についてのみ符号を付した。
【００２９】
（第一の実施形態に係る殺菌ボックス）
図１（ａ）は、第一の実施形態に係る殺菌ボックスの斜視図である。図１（ｂ）は、図１（ａ）の殺菌ボックスにおいて流入する空気の流れ（気流）の概略を示す図である。殺菌ボックス内部の第一乃至第四気流偏向板は点線で示す。殺菌ボックス内部の殺菌ランプは実線で示す。空気の流れは実線で示す。
【００３０】
図２は第一の実施形態に係る殺菌ボックスの側板を外した場合の分解斜視図である。殺菌ボックス内部の第二及び第四気流偏向板は点線で示す。なお、第二殺菌ランプは省略してある。
【００３１】
図３は第一の実施形態に係る殺菌ボックスの内部を上部から見た図である。第二殺菌ランプは点線で示す。図４は第一の実施形態に係る殺菌ボックスの内部を側面から見た図である。図５は第一の実施形態に係る殺菌ボックスの底面図である。図６は第一の実施形態に係る殺菌ボックスの断面図である。
【００３２】
殺菌ボックス１は、流入する空気を殺菌して送出するものである。殺菌ボックス１は、側板１２及び１３にそれぞれ貫通孔を有する。側板１２に設けた貫通孔には、ダクト等と接続可能でこのダクトから空気が流入する入口１４を設ける。入口１４は例えばダクト１６と接続する。側板１３に設けた貫通孔には、空気が流出する出口１５を設け、例えばダクト１７と接続する。入口１４及び出口１５は適宜複数設けても良い。ダクト１６内を流れる空気は入口１４から入り、殺菌ボックス１内で殺菌され出口１５から送出する。なお、殺菌ボックス１内に図示しないファン等を設け、入口１４から空気を流入させ、出口１５から空気を送出しても良い。殺菌ボックス１は、後述する殺菌システムに用いられる他、空調システムの一部等としても用いることができる。
【００３３】
殺菌ボックス１はその内部に、第一殺菌ランプ２、第二殺菌ランプ３Ａ乃至３Ｂ、第一気流偏向板５、第二気流偏向板６、第三気流偏向板７、第四気流偏向板８を備える。これら部材や殺菌ボックス１本体の材料は、殺菌ランプから照射される紫外線を反射できる材料（金属等）とすることにより、この反射により殺菌効果を高めることが出来る。特にアルミ製とすることにより、殺菌効果を上げることが出来る。また、これら部材は溶接やネジ等により殺菌ボックス１本体内部に設けられる。殺菌ボックス１本体の断面形状は、断面四角形状の他その他の多角形状でもよく円や楕円形状でもよい。
【００３４】
第一殺菌ランプ２は、殺菌ボックス１の第一内壁面１０に設ける。第二殺菌ランプ３Ａ乃至３Ｂは、殺菌ボックス１の第二内壁面１１に設ける。また、第一内壁面１０と第二内壁面１１は、互いに対向する。第一内壁面１０の片側のみ第一殺菌ランプ２を設けた場合、第一内壁面１０に対向する第二内壁面１１側の空気は第一殺菌ランプから遠くなるが、第二内壁面１１側にも第二殺菌ランプ３Ａ乃至３Ｂを設けることにより、第二内壁面側の空気を第二殺菌ランプ３Ａ乃至３Ｂの近く付けることが出来る。なお、第一殺菌ランプ２、第二殺菌ランプ３Ａ乃至３Ｂは図示しない電源と接続する。なお、上記ファンを殺菌ボックス1内部に設けた場合の上記ファンや後述する吸込部３４のファンの回転と、第一殺菌ランプ２、第二殺菌ランプ３Ａ乃至３Ｂの点灯とが連動する電源スイッチを設けることにより殺菌ランプ交換時の危険防止が可能となる。
【００３５】
第一殺菌ランプ２と第二殺菌ランプ３Ａ乃至３Ｂとは殺菌ボックス１に流入する空気の流れに沿って互いに平行させて設ける。前記第一殺菌ランプ２と第二殺菌ランプ３Ａ乃至３Ｂとを殺菌ボックス１に流入する空気の流れに沿って設けることにより、流入する空気を殺菌ランプで照射する照射時間を長く取ることが出来、流入する空気の殺菌効果を上げることが出来る。
【００３６】
第一気流偏向板５は、殺菌ボックス１の第一内壁面１０に設ける。第二気流偏向板６は、殺菌ボックス１の第二内壁面１１に設ける。また、第一気流偏向板５と第二気流偏向板６を、それぞれ複数設け、それぞれ交互に設ける。
【００３７】
第一気流偏向板５と第二気流偏向板６とを交互に複数設けることにより、空気の流れを蛇行させることが出来、殺菌ランプによる照射時間を長くすることが出来、殺菌効果が上がる。ここで、殺菌ランプによる照射時間が長いほど殺菌ランプによる殺菌効果は上がる。さらに、空気の流れを交互に変えることが出来、殺菌ランプに遠い空気を効率的に殺菌ランプに近づけ、殺菌効果を上げることが出来る。第一気流偏向板及び第二気流偏向板を複数設けることにより、複数回空気の流れを変えることが出来る。
【００３８】
第一気流偏向板５は、第一殺菌ランプ２が通る一の貫通孔５ａを有する。すなわち、貫通孔５ａの中には第一殺菌ランプ２が通る。なお、第一殺菌ランプ２を複数設け、貫通孔５ａの中には複数の第一殺菌ランプ２が通るようにしてもよい。
【００３９】
また、第一気流偏向板５は、図１等のような略コの字形状を有する。これにより、殺菌ボックス１内に流入し第一気流偏向板５に当たった空気の一部を第二内壁面１１方向に流れさせ、残りの空気の少なくとも一部を貫通孔５ａの中に流れさせることが出来る（図１（ｂ）の矢印参照）。特に、第一気流偏向板の幅（横方向（図１（ａ）の矢印Ａ参照、以下同じ）の長さ、以下同じ）を殺菌ボックスの第一内壁面の横方向の長さ（幅）と略同じにすることにより、第一気流偏向板５に当たった空気の一部を第二内壁面１１方向に流れさせ、残りの空気を貫通孔５ａの中に流れさせる事が出来る。また、第一気流偏向板５の高さ（縦方向（図１（ａ）の矢印Ａ参照、以下同じ）の長さ、以下同じ）を、少なくとも殺菌ボックスの内部の縦方向の長さ（第一内壁面から第二内壁面までの長さ）の３分の１又は半分よりも高くし、第一気流偏向板５に当たった空気の一部であって第二内壁面１１方向に流れる空気をより第二内壁面１１に設けられた殺菌ランプ３Ａ乃至３Ｂに近づけることが望ましい。第一気流偏向板５をこのような構成にすることにより第一気流偏向板５に当たった空気を殺菌ランプに近づけることが出来る。
【００４０】
第一気流偏向板５の形状は適宜変更可能であるが、第一殺菌ランプが通る貫通孔５ａを有し、かつ第一気流偏向板５に当たった空気の一部を第二内壁面１１方向に流れさせ、残りの空気の少なくとも一部を貫通孔５ａの中に流れさせる形状にする。例えば、全体として略コの字形状ではなく、下部に貫通孔５ａを有する略凸形状（略コの字形状の上部５ｂの略中央に矩形を追加した形状）としても良い。この場合、第一気流偏向板の略凸形状の上部の矩形部分に当たった空気の一部については横方向（左右）に流れ、第二殺菌ランプ３Ａ又は３Ｂに近づく。略貫通孔５ａの大きさ、形状は、適宜変更できる。形状としては円や多角形等がある。また、大きさについては、第一殺菌ランプ２が取り外し可能となる大きさにするとよい。これにより、第一殺菌ランプ２の交換が容易に出来る。
【００４１】
さらに、第一気流偏向板５は、略くの字に折れ曲がっている。これにより、空気の流れをスムーズにすることが出来る。どちら向きに折れ曲げるかは、適宜変更できる。図１のように出口１５側に折れ曲がり部が来るように設けることにより、第一気流偏向板５に当たった空気の一部についてスムーズに貫通孔５ａの中に流れさせることが出来る。
【００４２】
第二気流偏向板６は、第二殺菌ランプ３Ａ又は３Ｂの横、すなわち第二殺菌ランプ３Ａと３Ｂの間に設ける。なお、第二殺菌ランプ３Ａ及び又は３Ｂの替わりに横方向に複数近接かつ並列させて複数の第二殺菌ランプを設けても良い。また、第二気流偏向板６は、略長方形の形状を有する。これにより、殺菌ボックス１内に流入し第二気流偏向板６に当たった空気の一部を横方向（左右）に流れさせ、残りの空気を第一内壁面１０方向に流れさせる事が出来る（図１（ｂ）の矢印参照）。これにより、第一気流偏向板５に当たった空気について第一殺菌ランプ２及び第二殺菌ランプ３Ａ乃至３Ｂに近づけることが出来る。
【００４３】
第二気流偏向板６の形状は適宜変更可能であるが、第二気流偏向板６に当たった空気の一部を横方向に流れさせ、残りの空気の少なくとも一部を第一内壁面１０方向に流れさせる形状にする。
【００４４】
さらに、第二気流偏向板６は、略くの字に折れ曲がっている。これにより、空気の流れをスムーズにすることが出来る。どちら向きに折れ曲げるかは、適宜変更できるが、図１のように、一番入口１４側に設けられた第二気流偏向板６のように出口１５側に折れ曲がり部が来るように設けることにより、特に第一内壁面１０方向に空気の一部をスムーズに流すことが出来る。また、その他の第二気流偏向板６のように入口１４側に折れ曲がり部が来るように設けることにより、当たった空気の一部をスムーズに左右に流すことが出来る。
【００４５】
第三気流偏向板７は、入口１４近傍に設ける。なお、入口１４が第一内壁面１０側に設けられているため、第三気流偏向板７は、第一内壁面１０側に設ける。入口１４が第二内壁面１１側に設けられている場合、第三気流偏向板７は、第二内壁面１１側に設けてもよい。第三気流偏向板７は、複数設けても良い。
【００４６】
また、第三気流偏向板７は、略長方形の形状を有する。これにより、殺菌ボックス１内に流入し第三気流偏向板７に当たった空気の一部を横方向（左右）に流れさせ、残りの空気の少なくとも一部を対向する内壁面（ここでは、第二内壁面１１）方向に流れさせ（図１（ｂ）の矢印参照）、流入する空気の一部の流れを蛇行させ、照射時間を長くすることが出来る。
【００４７】
第三気流偏向板７の形状は適宜変更可能であるが、第三気流偏向板７に当たった空気の一部を横方向（左右）に流れさせ、残りの空気の少なくとも一部を対向する内壁面（ここでは、第二内壁面１１）方向に流れさせる形状にする。
【００４８】
さらに、第三気流偏向板７は、略くの字に折れ曲がっている。これにより、空気の流れをスムーズにすることが出来る。どちら向きに折れ曲げるかは、適宜変更できるが、図１のように、入口１４側に折れ曲がり部が来るように設けることにより、当たった空気の一部をスムーズに横方向（左右）に流すことが出来る。また、出口１５側に折れ曲がり部が来るように設けることにより、当たった空気の一部をスムーズに第二内壁面１１方向に流すことが出来る。
【００４９】
第四気流偏向板８は、出口１５近傍に設ける。なお、出口１５が第二内壁面１１側に設けられているため、第四気流偏向板８は、第二内壁面１１側に設ける。出口１５が第一内壁面１０側に設けられている場合、第四気流偏向板８は、第一殺菌ランプ２の端部近傍かつ出口１５側に設けてもよい。第四気流偏向板８は、複数設けても良い。
【００５０】
また、第四気流偏向板８は、略長方形の形状を有する。これにより、殺菌ボックス１内に流入し第四気流偏向板８に当たった空気を横方向（左右）に流れさせ、残りの空気を対向する内壁面（ここでは、第一内壁面１０）方向に流れさせる事が出来（図１（ｂ）の矢印参照）、流入する空気の一部の流れを蛇行させ、照射時間を長くすることが出来る。
【００５１】
第四気流偏向板８の形状は適宜変更可能であるが、第四気流偏向板８に当たった空気を横方向に流れさせ、残りの空気の少なくとも一部を対向する内壁面（ここでは、第一内壁面１０）方向に流れさせる形状にする。
【００５２】
さらに、第四気流偏向板８は、略くの字に折れ曲がっている。これにより、空気の流れをスムーズにすることが出来る。どちら向きに折れ曲げるかは、適宜変更できるが、図１のように、出口１５側に折れ曲がり部が来るように設けることにより、当たった空気の一部をスムーズに第一内壁面１０方向に流すことが出来る。また、入口１４側に折れ曲がり部が来るように設けることにより、当たった空気の一部をスムーズに横方向（左右）に流すことが出来る。
【００５３】
第二気流偏向板６は第二殺菌ランプ３Ａ及び３Ｂと縦方向において重ならない形状とする。これにより、第二殺菌ランプ３Ａ及び３Ｂを、新しい殺菌ランプと交換する際に第二気流偏向板６が邪魔にならずに第二殺菌ランプ３Ａ及び３Ｂを交換できる。
【００５４】
また、図２のように殺菌ボックスの第一内壁面１０を有する側板（図２では底板）は着脱自在に取り付けてある。取り付け手段は適宜決定するが例えば図４のように蝶ネジを用いる。また、通常のネジや嵌め込み式等を取り付け手段としてもよい。
【００５５】
第一内壁面１０を有する側板を着脱自在とすることにより、殺菌ランプ２、３Ａ及び３Ｂの新しい殺菌ランプとの交換が容易になる。さらに、第一内壁面１０に対向する第二内壁面１１の第二気流偏向板６は第二殺菌ランプ３Ａ及び３Ｂと縦方向において重ならない形状としているため、第一内壁面１０を有する側板を外すことで第二殺菌ランプ３Ａ及び３Ｂの交換が容易となる。これは、殺菌ボックスを例えば天井裏に設けたときに有用である。
【００５６】
ここで、空気の流れの概略を図１（ｂ）の矢印を参照しながら説明すると、入口１４から流入した空気は、その一部が第三気流偏向板７に当たる。第三気流偏向板７に当たった空気の内の一部は横方向（左右）に流れ、残りは対向する第二内壁面１１方向に流れる。さらに、空気の一部は第二気流偏向板６に当たる。第二気流偏向板６に当たった空気の内の一部は横方向（左右）に流れ、残りは第一内壁面１０方向に流れる。さらに、空気の一部は第一気流偏向板５に当たる。第一気流偏向板５に当たった空気の内の一部は第二内壁面１１方向に流れ、残りは貫通孔５ａの中を流れる。そして、第二気流偏向板６及び第一気流偏向板５により空気の流れが複数回変えられる。そして、空気の一部は第四気流偏向板８に当たる。第四気流偏向板８に当たった空気の内の一部は横方向（左右）に流れ、残りは対向する内壁面（ここでは、第一内壁面１０）方向に流れる。このように、第一乃至第四気流偏向板により、殺菌ボックス１内に流入した空気の流れが偏向する。
【００５７】
（第二の実施形態に係る殺菌ボックス）
図７は第二の実施形態に係る殺菌ボックスの側板を外した場合の分解斜視図である。殺菌ボックス内部の気流偏向板は点線で示す。なお、第二殺菌ランプは省略してある。図８は第二の実施形態に係る殺菌ボックスの断面図である。
【００５８】
第二の実施形態に係る殺菌ボックス１００は、殺菌ボックス１００の第一内壁面１０００に設けた複数（ここでは二つ）の第一殺菌ランプ２００と、第一内壁面１０００と対向する第二内壁面１１００に第一殺菌ランプ２００と平行させて設けた（第一殺菌ランプ２００より一多い数の）複数（ここでは三つ）の第二殺菌ランプとを備える。
【００５９】
殺菌ボックス１００はその内部に、第一殺菌ランプ２００Ａ乃至２００Ｂ、第二殺菌ランプ３００Ａ乃至３００Ｃの他に、第一気流偏向板５００、第二気流偏向板６００、第三気流偏向板７００、第四気流偏向板８００を備える。
【００６０】
第一気流偏向板５００は、複数（ここでは二つ）の第一殺菌ランプ２００がそれぞれ通る複数の貫通孔５００ａを有する。なお、第一気流偏向板５００は、第一の実施形態の第一気流偏向板５を二つ組み合わせた形状をしているが、第一気流偏向板５を第一気流偏向板５００としてそれぞれ設けても良い。すなわち、第一気流偏向板５と同様のものを、図７のように横一列に並べるのではなく、それぞれ位置をずらして設けても良い。この場合、第一気流偏向板５それぞれを第一気流偏向板５００とする。
【００６１】
なお、位置をずらして設けて設けた場合、第一気流偏向板５００（第一気流偏向板５）に当たった空気は、その一部が第二内壁面方向に流れ、残りの一部が貫通孔の中に流れる他、図７においては横方向（左右）どちらか一方にも流れる。横方向（左右）どちらか一方にも流れることにより、第一気流偏向板５００に当たった空気の一部を隣に存在する第一殺菌ランプに近づけることが出来る。
【００６２】
第二気流偏向板６００Ａ及び６００Ｂは、第二殺菌ランプ３００Ａ、３００Ｂ、３００Ｃの間それぞれに設ける。なお、第二気流偏向板６００Ａ及び６００Ｂは、横方向に一列になるように設けられているが、位置をずらして設けても良い。
【００６３】
複数（ここでは二つ）の第三気流偏向板７００は、第一殺菌ランプ２００Ａ乃至２００Ｂそれぞれの端部近傍かつ入口１４近傍にそれぞれ設ける。
【００６４】
複数（ここでは二つ）の第四気流偏向板８００は、第二殺菌ランプ３００Ａ乃至３００Ｃそれぞれの端部近傍かつ出口１５側に設ける。
【００６５】
その他の説明については、第一の実施形態に準じるので説明を省略する。
【００６６】
本発明に係る殺菌ボックスでは、第二の実施形態のように殺菌ランプの数を適宜増やすことが出来、これにより殺菌する空気の容量を大きくすることが出来る。
【００６７】
図９は本発明に係る殺菌システムの概略図である。殺菌ボックス1内の空気の流れ及び所定の空間の空気の流れの一部については二点鎖線及び実線で示す。
【００６８】
本発明に係る殺菌システムは、所定の空間の空気を殺菌するものである。所定の空間とは、建物の一室（例えば病院の待合室、診察室、手術室等の空気感染を防ぎたい場所や調剤室、調理室）や飛行機等の乗り物の中、空気感染を防ぎたい家畜小屋の中等が該当する。
【００６９】
本発明に係る殺菌システムは、所定の空間の空気を吸い込む吸込部３０と、本発明に係る殺菌ボックス（例えば殺菌ボックス１、以下及び図9では殺菌ボックス１を用いた場合について説明する）と、殺菌ボックス１により殺菌された空気を所定の空間に送出する吹出部３１とを備える。
【００７０】
殺菌ボックス１は、天井裏に設けられる。なお、その他の場所に設けても良い。天井裏に殺菌ボックス１を設けることにより、殺菌ボックス１を前記所定の空間を利用する人の目に触れることが無いので、前記所定の空間の美観を保つことが出来る。また、天井裏に設けた場合、殺菌ランプの交換が問題となるが、前記のように第一内壁面１０を下にして設けることにより、第一内壁面１０を有する側板（ここでは底板に該当）を外し、容易に殺菌ランプの交換が出来る。さらに、殺菌ランプが照射する紫外線は、人体に有害なので、天井裏に設けることにより、殺菌ランプが照射する紫外線が直接人に照射されることを防ぐことが出来る。
【００７１】
吸込部３０は、空気を吸込むファン等を備え、これにより空気を吸気する。また、適宜防塵フィルター等を設けても良い。吸込部３０はダクト１６を介して殺菌ボックス１とつながり、吸込部３０により吸気された空気は殺菌ボックス１に流入する。
【００７２】
殺菌ボックス１は、ダクト１７を介して吹出部３１とつながり、殺菌ボックス１により殺菌された空気は吹出部３１に流入する。そして、吹出部３１から殺菌された空気が送出される。
【００７３】
吹出部３１は、前記所定の空間の出入口である自動ドア３２の付近等の天井裏に設けられ、吹出部３１から送出される空気により、外部空間からの空気の流入を遮断する。すなわち、吹出部３１から送出される空気はエアカーテンの役割を有することになる。これにより、外部空間からの空気の流入を遮断することにより、外部空間からの病原菌等の流入を防ぐことが出来る。なお、自動ドア３２は適宜手動で開け閉めするドア等に変更可能である。
【図面の簡単な説明】
【００７４】
【図１】（ａ）は、第一の実施形態に係る殺菌ボックスの斜視図である。（ｂ）は、（ａ）の殺菌ボックスにおいて流入する空気の流れ（気流）の概略を示す図である。
【図２】第一の実施形態に係る殺菌ボックスの側板を外した場合の分解斜視図である。
【図３】第一の実施形態に係る殺菌ボックスの内部を上部から見た図である。
【図４】第一の実施形態に係る殺菌ボックスの内部を側面から見た図である。
【図５】第一の実施形態に係る殺菌ボックスの底面図である。
【図６】第一の実施形態に係る殺菌ボックスの断面図である。
【図７】第二の実施形態に係る殺菌ボックスの側板を外した場合の分解斜視図である。
【図８】第二の実施形態に係る殺菌ボックスの断面図である。
【図９】本発明に係る殺菌システムの概略図である。
【符号の説明】
【００７５】
１，１００    殺菌ボックス
２，２００Ａ，２００Ｂ  第一殺菌ランプ
３Ａ，３Ｂ，３００Ａ，３００Ｂ，３００Ｃ  第二殺菌ランプ
５，５００  第一気流偏向板
６，６００  第二気流偏向板
７，７００  第三気流偏向板
８，８００  第四気流偏向板
１０  第一内壁面
１１  第二内壁面
１４  入口
１５  出口
１８  蝶ネジ
３０  吸込部
３１  吹出部
【図１】
2007209468.tif 000003
【図２】
2007209468.tif 000004
【図３】
2007209468.tif 000005
【図４】
2007209468.tif 000006
【図５】
2007209468.tif 000007
【図６】
2007209468.tif 000008
【図７】
2007209468.tif 000009
【図８】
2007209468.tif 000010
【図９】
2007209468.tif 000011